(57)【要約】      （修正有）【課題】保温性、吸湿・発散性、耐久性等に優れているという羽毛の特徴をそのまま備えた敷布団を提供する。【解決手段】使用者の体重を支える平板状の支持体１には該支持体１を厚さ方向に貫く多数の透孔５、５・・・を形成すると共に各透孔５に羽毛７を充填してなる敷布団構成体９をカバー１１により被覆したことを特徴とする敷布団。前記各透孔５は平面視略正六角形状をなし、該透孔５を相互に一定の間隔を置いて前記支持体１に形成する。【選択図】図１
0003180005.tif 000002
【実用新案登録請求の範囲】
【請求項１】
使用者の体重を支える平板状の支持体には該支持体を厚さ方向に貫く多数の透孔を形成すると共に各透孔に羽毛を充填してなる敷布団構成体をカバーにより被覆したことを特徴とする敷布団。
【請求項２】
前記各透孔は平面視略正六角形状をなし、該透孔を相互に一定の間隔を置いて前記支持体に形成したことを特徴とする請求項１に記載の敷布団。
【請求項３】
使用者の体重を支える平板状の支持体には該支持体を厚さ方向に貫く多数の透孔を形成すると共に各透孔に羽毛を充填してなる敷布団構成体を厚さ方向に複数枚積み重ね、当該複数枚の敷布団構成体全体をカバーにより被覆したことを特徴とする敷布団。
【考案の詳細な説明】
【技術分野】
【０００１】
本考案は、敷布団に関するものであり、特に、羽毛を用いた敷布団に係るものである。
【背景技術】
【０００２】
袋状に縫い合わせた側地内に多数の小区画を形成し、各小区画内に羽毛を封入してなる羽毛布団が広く使用されている。
【考案の概要】
【考案が解決しようとする課題】
【０００３】
上記従来の羽毛布団は、保温性、吸湿・発散性、耐久性等に優れているものである。
【０００４】
しかるに、上記従来の羽毛布団は、専ら掛布団としてのみ使用されており、敷布団には適さないものであると考えられている。けだし、羽毛布団を敷布団として使用する場合には、使用者の体重により側地内の羽毛が圧縮され、潰れてしまうため、上述した羽毛布団の優れた特徴が損なわれるからである。
【０００５】
以上の点に鑑み、本考案は、保温性、吸湿・発散性、耐久性等に優れているという羽毛の特徴をそのまま備えた敷布団を提供しようとしてなされたものである。
【課題を解決するための手段】
【０００６】
上記課題を解決するために、本考案は、下記の敷布団を提供するものである。
【０００７】
（１）使用者の体重を支える平板状の支持体には該支持体を厚さ方向に貫く多数の透孔を形成すると共に各透孔に羽毛を充填してなる敷布団構成体をカバーにより被覆したことを特徴とする敷布団（請求項１）。
【０００８】
（２）前記各透孔は平面視略正六角形状をなし、該透孔を相互に一定の間隔を置いて前記支持体に形成する（請求項２）。
【０００９】
（３）使用者の体重を支える平板状の支持体には該支持体を厚さ方向に貫く多数の透孔を形成すると共に各透孔に羽毛を充填してなる敷布団構成体を厚さ方向に複数枚積み重ね、当該複数枚の敷布団構成体全体をカバーにより被覆したことを特徴とする敷布団（請求項３）。
【考案の効果】
【００１０】
[請求項１の考案]
使用者の体重は支持体に支えられるため、該支持体に形成された厚さ方向の透孔内に充填された羽毛には使用者の体重がかからない。したがって、羽毛が圧縮されて潰れるおそれはなく、また、各透孔は該支持体を厚さ方向に貫いている。その結果、羽毛は本来の優れた保温性、吸湿・発散性、耐久性等を維持する。更に、敷布団構成体はカバーにより被覆されるため、各透孔内の羽毛は該透孔内に保持される。
【００１１】
すなわち、請求項１の考案により、敷布団に羽毛を使用することが可能となる。
【００１２】
また、平板状の支持体に該支持体を厚さ方向に貫く多数の透孔を形成しているため、該支持体の表面には凹凸が形成された状態となる。したがって、体圧分散の効果が得られ、使用者のうっ血が予防ないし改善される。
【００１３】
[請求項２の考案]
各透孔は平面視略正六角形状をなし、該透孔を相互に一定の間隔を置いて前記支持体に形成したため、支持体はいわばハニカム構造を備えたものとなり、充分な強度を有する。
【００１４】
[請求項３の考案]
敷布団構成体を厚さ方向に複数枚積み重ね、当該複数枚の敷布団構成体全体をカバーにより被覆しているため、敷布団構成体の使用枚数により敷布団の厚さ、固さ等を適宜変更することができる。
【図面の簡単な説明】
【００１５】
【図１】図１は、本考案による敷布団の一例を示す断面図である。
【図２】図２は、支持体の一部を示す平面図である。
【図３】図３は、本考案による敷布団の別の一例を示す断面図である。
【図４】図４は、支持体の別の一例を示す側面図である。
【考案を実施するための形態】
【００１６】
符号１に示すものは平板上の支持体である。支持体１は、使用者の体重が後述の各透孔内の羽毛にかからないように使用者の体重を支えるものである。支持体１は、軽量であって、加工性に優れた合成樹脂により形成することが望ましい。
【００１７】
支持体１は、例えば発泡ポリエチレン、発泡ポリプロピレン等により形成することができるが、一例として、低密度ポリエチレン（ＬＤＰＥ）を型内成形により４０倍に発泡させてなる独立気泡型の成形高発泡ポリエチレンにより形成する。
【００１８】
この成形高発泡ポリエチレンは、例えば、約０．０６７ＭＰａの圧縮強度（ＪＩＳ  Ｚ  ０２３５に準拠  ２５％歪）と、約２９Ｎ／ｃｍ２の引張強度（ＪＩＳ  Ｋ  ６７６７（Ａ法））とを有する。
【００１９】
支持体１は、一例として平面視略長方形状の如き敷布団に適した形状を備え、好ましくは、図４に示すように、折曲部３、３・・・を介して複数の支持体構成部１ａ、１ｂ、１ｃ・・・に折り畳むことができるようになす。
【００２０】
支持体１には該支持体１を厚さ方向に貫く多数の透孔５、５・・・を形成する。
【００２１】
各透孔５、５・・・は、好ましくは、平面視略正六角形状をなし、該透孔５、５・・・を相互に一定の間隔を置いて支持体１に形成する。図２参照。
【００２２】
支持体１の各透孔１には詰物として羽毛７を充填することにより敷布団構成体９を形成する。羽毛７は、好ましくはダウンとするが、ダウンとスモールフェザーとを混合してなるものであっても差し支えない。
【００２３】
敷布団構成体９全体をカバー１１により被覆する。カバー１１は、例えばポリエステル、綿、ウール等により形成してなるものとする。
【００２４】
前述の如く、折曲部３、３・・・を介して複数の支持体構成部１ａ、１ｂ、１ｃ・・・に折り畳むことができるようにした支持体１の場合には、敷布団構成体９における各支持体構成部１ａ、１ｂ、１ｃ・・・をそれぞれカバー１１により各別に被覆する。
【００２５】
図３に示す敷布団においては、敷布団構成体９を厚さ方向に複数枚積み重ね、当該複数枚の敷布団構成体９、９・・・全体をカバー１１により被覆している。
【００２６】
なお、敷布団構成体９をカバー１１より被覆してなるものを中材として使用しても差し支えない。
【符号の説明】
【００２７】
１  支持体
１ａ  支持体構成部
１ｂ  支持体構成部
１ｃ  支持体構成部
３  折曲部
５  透孔
７  羽毛
９  敷布団構成体
１１  カバー
【図１】
0003180005.tif 000003
【図２】
0003180005.tif 000004
【図３】
0003180005.tif 000005
【図４】
0003180005.tif 000006